(57)【要約】  【課題】  媒体のどの部分に粘着部を形成すればよいかをユーザが容易に判断できるようにしつつ、媒体に粘着部を形成することができるようにする。  【解決手段】  画像形成装置１０と粘着部形成装置２０とを備え、画像形成装置１０は、紙等の媒体上に形成する画像をメディアから読み出すメディアリーダ１４と、読み出した画像と媒体のイメージとを表示するＵＩ部１２と、媒体に画像を配置させると共に粘着部を形成する領域を指定させ、画像が配置された媒体をプリンタ部１５に出力すると共に粘着部を形成する領域の情報を粘着部形成装置２０に受け渡すコントローラ１１と、画像が配置された媒体を出力して粘着部形成装置２０に搬送するプリンタ部１５とを備える。  【選択図】  図１
2005138361.tif 000002
【特許請求の範囲】
【請求項１】
媒体の出力イメージ上で特定の領域を指定するためのユーザインターフェース手段と、
前記ユーザインターフェース手段で指定された前記特定の領域に粘着部を形成する制御手段と
を備えたことを特徴とする粘着部形成装置。
【請求項２】
前記ユーザインターフェース手段は、
前記特定の領域を指定するために必要となる実寸を計測するための手段と、
前記媒体の出力イメージについて、当該媒体を出力した際の実寸が分かるような表示を行う手段と
を備えたことを特徴とする請求項１記載の粘着部形成装置。
【請求項３】
前記ユーザインターフェース手段は、
前記特定の領域を指定するために用いる実物をスキャンした結果を取得する手段と、
前記媒体の出力イメージの当該媒体を出力した際の実寸に対する倍率と等しい倍率で、前記スキャンした結果を表示する手段と
を備えたことを特徴とする請求項１記載の粘着部形成装置。
【請求項４】
前記制御手段は、前記媒体上の前記特定の領域に粘着性物質を塗布することを特徴とする請求項１記載の粘着部形成装置。
【請求項５】
前記制御手段は、前記媒体の進行方向に直交する方向に複数用意された両面テープ貼付機構のうち、当該媒体上の前記特定の領域内に両面テープを貼り付け可能な少なくとも１つの両面テープ貼付機構を駆動することにより、当該特定の領域内に両面テープを貼り付けることを特徴とする請求項１記載の粘着部形成装置。
【請求項６】
前記制御手段は、前記媒体の全面に粘着性物質を塗布した後、前記特定の領域以外に塗布された前記粘着性物質の粘着性を失わせる処理を行うことを特徴とする請求項１記載の粘着部形成装置。
【請求項７】
媒体の出力イメージを表示する表示手段と、
前記表示手段により表示された前記媒体の出力イメージ上での特定の領域の指定を受け付ける指定受付手段と、
前記媒体上の前記指定受付手段が指定を受け付けた前記特定の領域に粘着部を形成する粘着部形成手段と
を備えたことを特徴とする粘着部形成装置。
【請求項８】
媒体の出力イメージ上で特定の領域を指定するために必要となる実寸を計測するための手段と、
前記媒体の出力イメージについて、当該媒体を出力した際の実寸が分かるような表示を行う手段と
を備えたことを特徴とするユーザインターフェース装置。
【請求項９】
媒体の出力イメージ上で特定の領域を指定するために用いる実物をスキャンした結果を取得する手段と、
前記媒体の出力イメージの当該媒体を出力した際の実寸に対する倍率と等しい倍率で、前記スキャンした結果を表示する手段と
を備えたことを特徴とするユーザインターフェース装置。
【請求項１０】
媒体の出力イメージ上での特定の領域の指定を受け付けるステップと、
指定された前記特定の領域に粘着部を形成するステップと
を含むことを特徴とする粘着部形成方法。
【請求項１１】
前記粘着部を形成するステップでは、前記媒体上の前記特定の領域に粘着性物質を塗布することを特徴とする請求項１０記載の粘着部形成方法。
【請求項１２】
前記粘着部を形成するステップでは、前記媒体の進行方向に直交する方向に複数用意された両面テープ貼付機構のうち、当該媒体上の前記特定の領域内に両面テープを貼り付け可能な少なくとも１つの両面テープ貼付機構を駆動することにより、当該特定の領域内に両面テープを貼り付けることを特徴とする請求項１０記載の粘着部形成方法。
【請求項１３】
前記粘着部を形成するステップでは、前記媒体の全面に粘着性物質を塗布した後、前記特定の領域以外に塗布された前記粘着性物質の粘着性を失わせる処理を行うことを特徴とする請求項１０記載の粘着部形成方法。
【請求項１４】
コンピュータに、
媒体の出力イメージ上で特定の領域を指定するために用いる実物をスキャンした結果を取得する機能と、
前記媒体の出力イメージの当該媒体を出力した際の実寸に対する倍率と等しい倍率で、前記スキャンした結果を表示する機能と
を実現させるためのプログラム。
【請求項１５】
コンピュータに、
媒体の出力イメージ上での特定の領域の指定を受け付ける機能と、
指定された前記特定の領域に粘着部を形成する機能と
を実現させるためのプログラム。
【発明の詳細な説明】
【技術分野】
【０００１】
本発明は、紙等の媒体の指定された領域に粘着部を形成する粘着部形成装置等に関する。但し、媒体とは、紙には限定されず、画像形成装置により画像を形成することが可能であり、かつ、粘着部を形成できる全てのものを意味するものとする。
【背景技術】
【０００２】
プリンタ、コピー機等の画像形成装置により画像が形成される紙等の媒体に対し、粘着部を形成しようという試みが従来からなされている。例えば、画像が形成された後の媒体を用いて製本を行う場合に、媒体の所定の部位に製本のための粘着部(糊付け)を形成する等である。また、媒体の任意に選択した部分に粘着部を形成するという提案もなされている(例えば、特許文献１参照。)。
【０００３】
【特許文献１】特開２００１−０１８４７８号公報(第３−４頁、第３図、第５図)
【発明の開示】
【発明が解決しようとする課題】
【０００４】
ところで、画像形成装置により紙等の媒体に写真等の画像を形成し、画像形成後の媒体をアルバムとして整理するに当たり、画像形成装置により形成される画像以外に、画像形成装置により画像として形成されない物(以下、「実物」という)も貼り付けて整理したい場合がある。例えば、旅先においてデジタルカメラで写真を撮影すると共に施設の入場券等を入手したような場合、写真はプリンタで印刷し、入場券等についてはそのまま同じ紙に貼り付けることが考えられる。あるいは、デジタルカメラで撮影した写真はプリンタで印刷し、別の人が銀塩カメラで撮影した写真はＤＰＥショップ等でプリント後、同じ紙に貼り付けたいという要求もあるかもしれない。
こういった場合、紙等の媒体に粘着部を形成し、その粘着部に実物を貼り付けることになるが、特許文献１の発明では、任意に選択した部分に粘着部を形成することが可能とはなっているものの、特定の実物を貼り付けるのに媒体のどの部分を選択して粘着部を形成すればよいかをユーザが容易に判断できるようにするための機構は設けられていない。即ち、特許文献１の発明では、媒体のどの部分に粘着部を形成すればよいかをユーザが容易に判断できるようにしつつ媒体に粘着部を形成する、といったことはできないという問題点があった。
【０００５】
本発明は、以上のような技術的課題を解決するためになされたものであって、その目的は、媒体のどの部分に粘着部を形成すればよいかをユーザが容易に判断できるようにしつつ、媒体に粘着部を形成することができるようにすることにある。
【課題を解決するための手段】
【０００６】
かかる目的のもと、本発明では、媒体の出力イメージ上で粘着部を形成する領域を指定できるようにしている。即ち、本発明の粘着部形成装置は、媒体の出力イメージ上で特定の領域を指定するためのユーザインターフェース手段と、このユーザインターフェース手段で指定された特定の領域に粘着部を形成する制御手段とを備えている。ここで、ユーザインターフェース手段としては、第一に、特定の領域を指定するために必要となる実寸を計測するための手段(例えば、目盛り)と、媒体の出力イメージについて、その媒体を出力した際の実寸が分かるような表示(例えば、格子線の表示)を行う手段とを備えたものが考えられる。また、第二に、特定の領域を指定するために用いる実物をスキャンした結果を取得する手段と、媒体の出力イメージのその媒体を出力した際の実寸に対する倍率と等しい倍率で、スキャンした結果を表示する手段とを備えたものも考えられる。
【０００７】
また、本発明の粘着部形成装置は、別の観点により、媒体の出力イメージを表示する表示手段と、この表示手段により表示された媒体の出力イメージ上での特定の領域の指定を受け付ける指定受付手段と、媒体上の指定受付手段が指定を受け付けた特定の領域に粘着部を形成する粘着部形成手段とを備えたものとして捉えることもできる。
【０００８】
更に、本発明は、ユーザインターフェースのみに着目して捉えることもできる。その場合、本発明の第１のユーザインターフェース装置は、媒体の出力イメージ上で特定の領域を指定するために必要となる実寸を計測するための手段(例えば、目盛り)と、媒体の出力イメージについて、その媒体を出力した際の実寸が分かるような表示(例えば、格子線の表示)を行う手段とを備えている。また、第２のユーザインターフェース装置は、媒体の出力イメージ上で特定の領域を指定するために用いる実物をスキャンした結果を取得する手段と、媒体の出力イメージのその媒体を出力した際の実寸に対する倍率と等しい倍率で、スキャンした結果を表示する手段とを備えている。
【０００９】
更にまた、本発明は、媒体の出力イメージ上で粘着部を形成する領域を指定可能な粘着部形成方法として捉えることもできる。その場合、本発明の粘着部形成方法は、媒体の出力イメージ上での特定の領域の指定を受け付けるステップと、指定された特定の領域に粘着部を形成するステップとを含んでいる。
【００１０】
一方、本発明は、所定のユーザインターフェースを実現するためのプログラムとして捉えることもできる。その場合のプログラムは、コンピュータに、媒体の出力イメージ上で特定の領域を指定するために用いる実物をスキャンした結果を取得する機能と、媒体の出力イメージのその媒体を出力した際の実寸に対する倍率と等しい倍率で、スキャンした結果を表示する機能とを実現させるものである。
また、本発明は、所定の機能を実現させるためのプログラムとして捉えることもできる。その場合のプログラムは、コンピュータに、媒体の出力イメージ上での特定の領域の指定を受け付ける機能と、指定された特定の領域に粘着部を形成する機能とを実現させるためのものである。
【発明の効果】
【００１１】
本発明によれば、媒体のどの部分に粘着部を形成すればよいかをユーザが容易に判断できるようにしつつ、媒体に粘着部を形成することが可能となる。
【発明を実施するための最良の形態】
【００１２】
以下、添付図面を参照して、本発明の実施の形態について詳細に説明する。
図１は、本発明の実施の形態におけるシステムのハードウェア構成の一例を示したものである。このシステムは、画像形成装置１０と粘着部形成装置２０とからなり、画像形成装置１０は、コントローラ１１と、ＵＩ部１２と、スキャナ部１３と、メディアリーダ１４と、プリンタ部１５と、記憶装置１６とから構成される。
【００１３】
コントローラ１１は、画像編集部(ESS:Electric Sub System)に対応し、スキャナ部１３、メディアリーダ１４、または、ネットワークから入力され蓄積された画像データを処理する部分である。画像の縮小・拡大等の通常の画像形成装置における機能に加え、本実施の形態特有の機能をも有する。例えば、スキャナ部１３からスキャン結果を取得する機能、紙等の媒体の表示イメージの実際の媒体の大きさに対する比率をスキャン結果に乗じてＵＩ部１２に表示するスキャン結果のイメージを求める機能、ＵＩ部１２で指定された領域の情報を受け付ける機能等である。これらの機能は、ハードウェアのみによっても実現可能であるが、ハードウェアとソフトウェアの組み合わせによっても実現可能である。後者の場合は、コントローラ１１の図示しないＣＰＵ(Central Processing Unit)が、例えば、記憶装置１６に記憶されたプログラムをメインメモリに読み込んで実行することにより実現される。
【００１４】
ＵＩ部１２は、ユーザが情報の入出力を行うための操作部であり、例えば、タッチパネルディスプレイである。
スキャナ部１３は、画像入力部(IIT:Image Input Terminal)に対応し、プラテン上に配置された原稿を読み取り、画像上の二次元画像の濃淡と位置の情報をコントローラ１１に伝えるものである。
メディアリーダ１４は、例えば、フラッシュメモリ等のメディア(記録媒体)から指示された画像データを読み取るものである。
プリンタ部１５は、画像出力部(IOT:Image Output Terminal)に対応し、コントローラ１１より伝えられる画像データに応じて、紙等の媒体上に画像を再生するものである。
記憶装置１６は、例えば、ハードディスクデバイス(ＨＤＤ)であり、コントローラ１１における各機能を実現するプログラムや、各機能実現のために必要となるデータの格納場所として機能するものである。
【００１５】
尚、このハードウェア構成はあくまで一例であり、これらの構成の全てを備えたシステムのみに限定するものではない。また、画像形成装置１０内に示された構成の一部を粘着部形成装置２０が備えていてもよいし、粘着部形成装置２０が画像形成装置１０の一機能として実現されてもよい。
また、本実施の形態では、画像形成装置１０は、ＬＡＮ(Local Area Network)、ＷＡＮ(Wide Area Network)等のネットワークに接続されていてもよい。
【００１６】
本実施の形態では、図２または図３に示すようなユーザインターフェースを用いて台紙上の粘着部を形成する領域を指示する。尚、以下では、画像および粘着部を形成する媒体を便宜的に「台紙」と呼ぶが、これは、媒体を紙に限定したり、更に特定の種類の紙に限定したりする意図ではない。
図２は、本実施の形態で領域を指定するための第１のユーザインターフェースを示した図である。図２に示すように、ＵＩ部１２には、左側に台紙のイメージが表示され、右側にサムネイル画像が表示されている。また、台紙には格子線が描かれると共に、ＵＩ部１２の下に、実物の大きさを計測するための目盛り１２ａが設けられている。即ち、ユーザがＵＩ部１２に表示された出力イメージ上で実物を貼り付ける領域を指定しようとした場合、ＵＩ部１２に表示された台紙の実際の大きさも分からず、貼り付けようとする実物の大きさを測ることもできないのでは、ユーザは、どの程度の大きさの領域を指定すればよいか判断に窮してしまうことになる。そこで、図２のようなユーザインターフェースを設け、ユーザが実物の大きさを計測し、台紙の実際の大きさを認識できるようにし、結果として、粘着部を形成する領域を容易に指定できるようにしている。
なお、図２では、ＵＩ部１２の下に目盛り１２ａを設けたが、ユーザが実物の大きさを計測するのに不自由しない場所であれば、目盛り１２ａはどこに設けてもよい。また、図２では、台紙上に格子線を描いているが、例えば、台紙の枠に沿って目盛りを設ける等、台紙の実際の大きさを示すものであれば、如何なる表示を行ってもよい。
【００１７】
また、図３は、本実施の形態で領域を指定するための第２のユーザインターフェースを示した図である。図３でも、ＵＩ部１２には、左側に台紙のイメージが表示され、右側にサムネイル画像が表示されるが、図２のユーザインターフェースとは異なり、実物の大きさを計測するための目盛りは設けていない。その代わりに、実物のスキャン結果を台紙と同様の倍率で縮小して表示している。そして、台紙の上でスキャン結果を動かすことを可能とすることで、粘着部を形成する領域を容易に指定できるようにしている。
【００１８】
ここで、図２または図３のユーザインターフェースを用いて粘着部を形成する領域を指定し、粘着部形成装置２０に受け渡すまでのコントローラ１１の処理動作について、図４を参照しながら説明する。
ユーザが、例えば、メディアを挿入することにより画像形成を指示すると、コントローラ１１は、ＵＩ部１２に対し、白紙の台紙の出力イメージと、メディアリーダ１４がメディアから読み取った写真のサムネイル画像とを表示する。そこで、ユーザが、表示されているサムネイル画像のうち所望のものを選択して台紙の所望の位置までドラッグ＆ドロップすると、コントローラ１１は、ＵＩ部１２に対し、その指示された位置に写真が配置された台紙の出力イメージを表示する(ステップ１０１)。
【００１９】
次に、コントローラ１１は、実物をスキャンして粘着部を形成する領域を指定するかどうかをユーザに問い合わせる(ステップ１０２)。
この問合せの結果、実物をスキャンしない場合、即ち、図２のユーザインターフェースを用いて粘着部を形成する領域を指定する場合、コントローラ１１は、粘着部を形成する領域をマウスの操作のみにより指定させる(ステップ１０３)。これに応じ、ユーザは、例えば、図２の太線で示す領域を、粘着部を形成する領域として指定する。
粘着部を形成する領域の指定が完了し、ユーザから出力指示があると、現在表示中の出力イメージのプリントをプリンタ部１５に対して指示する(ステップ１０４)。
【００２０】
一方、実物をスキャンする場合、即ち、図３のユーザインターフェースを用いて粘着部を形成する領域を指定する場合、コントローラ１１は、ユーザに対し、実物をスキャンするよう指示する(ステップ１０５)。これに応じて、ユーザがスキャンを行うと、コントローラ１１は、スキャナ部１３からスキャン結果を取得してＵＩ部１２に表示する(ステップ１０６)。尚、この時点では、スキャン結果は、台紙のイメージが表示されている領域とは別の領域(図３では、右下端)に表示されている。
この状態で、コントローラ１１は、スキャン結果を用いて粘着部を形成する領域を指定するよう指示する(ステップ１０７)。これに応じて、ユーザがスキャン結果をドラッグ＆ドロップして台紙上に配置することにより、例えば、図３の太線で示す領域を、粘着部を形成する領域として指定する。また、ここで表示されるスキャン結果の大きさは、スキャンした実物の大きさに対し、表示された台紙の大きさの実際の台紙の大きさに対する比率を乗じて得られたものとする。即ち、スキャン結果を含む台紙全体が、台紙を出力した際の実際の大きさを一定倍率で縮小したものになっているので、ユーザは、実際に出力されるイメージを見ながら、実物を貼り付けたい場所・サイズを指定することができる。
【００２１】
粘着部を形成する領域の指定が完了し、ユーザから出力指示があると、現在表示中の出力イメージのプリントをプリンタ部１５に対して指示する(ステップ１０８)。
尚、台紙に配置されたスキャン結果については、プリントしなくてもよいし、プリントしてもよい。前者の場合、台紙に実物を貼りこむ位置を示すには、別途何らかのマークを記しておく必要があるが、後者の場合は、プリントされたスキャン結果により貼り込み位置を示すことができる。
【００２２】
そして、最後に、コントローラ１１は、その領域を示す情報を粘着部形成装置２０に受け渡す(ステップ１０９)。例えば、台紙の横方向にＸ軸を、縦方向にＹ軸を設定したとすると、指定された領域が矩形である場合は、その領域の左端のＸ座標であるＸ１と、右端のＸ座標であるＸ２と、上端のＹ座標であるＹ１と、下端のＹ座標であるＹ２とを受け渡せばよい。また、指定された領域が矩形でない場合、例えば、曲線で囲まれたような領域である場合であっても、その領域を規定するのに必要かつ十分な幾つかの値を粘着部形成装置２０に受け渡すことで、領域の位置を伝えることは可能である。
【００２３】
次に、受け渡された情報により示される領域に粘着部を形成する粘着部形成装置２０について説明する。本実施の形態では、粘着部形成装置２０の実現のしかたとして３つの方式を考案しているので、それらを第１〜第３の実施例として説明する。
【００２４】
[第１の実施例]
第１の実施例では、台紙の指定した領域に粘着液を塗布する。粘着液を塗布する方式としては、スプレー方式、インクジェット方式等、公知の如何なる方式を用いてもよい。スプレー方式は、粘着液をスプレーコートするものであり、インクジェット方式は、インクジェットのインクの代わりに粘着液を使用したものである。また、粘着部を保護するために、剥離可能なカバーフィルムで粘着部を覆う。
【００２５】
図５は、第１の実施例の構成を示した図である。
図５に示すように、粘着部形成装置２０は、画像形成装置１０に接続されるトランスポートユニット２１と、このトランスポートユニット２１にて取り込まれた画像形成後の媒体に対して所定の最終処理を施すフィニッシャ２３と、冊子の表紙などの合紙を供給するインターポーザ２２と、粘着部形成装置２０の各機構部を制御する制御部２４とを備えている。
また、フィニッシャ２３には、台紙に対し粘着液を塗布する粘着液塗布部２５と、粘着液が塗布された台紙に対しカバーフィルムを付加するカバーフィルム付加部２６とが設けられ、このうち、粘着液塗布部２５は、台紙が粘着液塗布部２５を通過することを検出するセンサ２５ａを有している。
【００２６】
次に、カバーフィルム付加部２６について、図６を参照して詳細に説明する。
図６に示すように、カバーフィルム付加部２６は、フィルムを巻きつけて保持し台紙が通過する際にカバーフィルムを供給するカバーフィルム供給部２６ａと、カバーフィルムをカットするカバーフィルム切断部２６ｂと、カバーフィルムを台紙に固定するカバーフィルム固定部２６ｃとを有している。更に、カバーフィルム切断部２６ｂは、台紙がカバーフィルム切断部２６ｂを通過することを検出するセンサ２６ｄと、カバーフィルムをカットするカッタ２６ｆと、カッタ２６ｆから台紙を保護する保護部材２６ｇと、カバーフィルムを搬送する搬送ロール２６ｈとを有し、カバーフィルム固定部２６ｃは、台紙がカバーフィルム固定部２６ｃを通過することを検出するセンサ２６ｅを有している。
【００２７】
次に、本実施の形態における制御部２４の動作について説明する。
図７は、制御部２４の動作を示すフローチャートである。尚、以下の動作説明では、台紙の横方向にＸ軸を、縦方向にＹ軸を設定し、矩形の領域の左端のＸ座標であるＸ１と、右端のＸ座標であるＸ２と、上端のＹ座標であるＹ１と、下端のＹ座標であるＹ２とが受け渡されるものとする。また、図５のフィニッシャ２３において、台紙はその上端を先頭として、即ち、台紙のＹ軸のプラス方向が台紙の進行方向と重なるようにして搬送されるものとする。
まず、制御部２４は、コントローラ１１から(Ｘ１，Ｘ２，Ｙ１，Ｙ２)を受け取り(ステップ２１１)、センサ２５ａに(Ｙ１，Ｙ２)を、センサ２６ｄにＹ２を、センサ２６ｅにＹ１を伝えておく(ステップ２１２)。
【００２８】
この状態で、制御部２４は、各センサから送られる信号を監視し、センサ２５ａが台紙のＹ１の通過を検出したかどうかを判定する(ステップ２１３)。この判定の結果、センサ２５ａが台紙のＹ１の通過を検出していない場合は、ステップ２１３を繰り返すが、センサ２５ａが台紙のＹ１の通過を検出した場合は、粘着液塗布部２５を制御し、台紙のＹ１が粘着液塗布部２５を通過する際に台紙のＸ１からＸ２の範囲に粘着液を塗布させる(ステップ２１４)。
その後、台紙は右方向に進んでいくので、制御部２４は、センサ２５ａが台紙のＹ２の通過を検出したかどうかを判定する(ステップ２１５)。この判定の結果、センサ２５ａが台紙のＹ２の通過を検出していない場合は、ステップ２１４に戻り、台紙のＸ１からＸ２の範囲に対する粘着液の塗布を続けるが、センサ２５ａが台紙のＹ２の通過を検出した場合は、粘着液の塗布は終了する。
【００２９】
次に、制御部２４は、センサ２６ｅが台紙のＹ１の通過を検出したかどうかを判定する(ステップ２１６)。この判定の結果、センサ２６ｅが台紙のＹ１の通過を検出していない場合は、ステップ２１６を繰り返すが、センサ２６ｅが台紙のＹ１の通過を検出した場合は、カバーフィルム固定部２６ｃを制御し、台紙のＹ１がカバーフィルム固定部２６ｃを通過する際にカバーフィルムと台紙を重ね合わせてカバーフィルムを台紙に固定させる(ステップ２１７)。
【００３０】
また、制御部２４は、センサ２６ｄが台紙のＹ２の通過を検出したかどうかを判定する(ステップ２１８)。この判定の結果、センサ２６ｄが台紙のＹ２の通過を検出していない場合は、ステップ２１８を繰り返すが、センサ２６ｄが台紙のＹ２の通過を検出した場合は、カバーフィルム切断部２６ｂを制御し、カバーフィルムを切断させる(ステップ２１９)。尚、カバーフィルム切断部２６ｂにおいては、カバーフィルムと台紙との間に保護部材２６ｇを設け、カッタ２６ｆの刃が台紙まで達しないようにすることで、カバーフィルムのみのカットを可能としている。
【００３１】
そして、最後に、次の台紙に対してカバーフィルムを付加できるように、搬送ロール２６ｈを制御し、カバーフィルム切断部２６ｂの位置にあったカバーフィルムの先頭部分をカバーフィルム固定部２６ｃの位置まで搬送させる(ステップ２２０)。
以上の処理により、図８に示すような台紙が排出される。図８では、濃色の網掛け領域が、粘着液を塗布された領域を示し、淡色の網掛け領域が、カバーフィルムがかけられた領域を示している。尚、本実施例では、カバーフィルムの台紙の横方向の幅を選択していないので、台紙の幅と同じ幅のカバーフィルムがかけられるようになっている。また、カバーフィルムの縦幅は、粘着液を塗布した領域の縦幅に合わせたが、台紙の全面にかけるようにしてもよい。
【００３２】
[第２の実施例]
第２の実施例では、台紙の指定した領域に両面テープを貼り付ける。両面テープとしては、公知の如何なるものを用いてもよい。また、透明・不透明のいずれのものを用いてもよい。
【００３３】
図９は、第２の実施例の構成を示した図である。
図９に示すように、粘着部形成装置２０は、画像形成装置１０に接続されるトランスポートユニット２１と、このトランスポートユニット２１にて取り込まれた画像形成後の媒体に対して所定の最終処理を施すフィニッシャ２３と、冊子の表紙などの合紙を供給するインターポーザ２２と、粘着部形成装置２０の各機構部を制御する制御部２４とを備え、このうち、フィニッシャ２３には、台紙に両面テープを貼り付ける両面テープ貼付部２７が設けられている。
【００３４】
次に、両面テープ貼付部２７について、図１０を参照して詳細に説明する。
図１０に示すように、両面テープ貼付部２７は、両面テープを巻きつけて保持し台紙が通過する際に両面テープを供給する両面テープ供給部２７ａと、両面テープのカバーテープを巻き取るカバーテープ巻取り部２７ｂと、両面テープをカットする両面テープ切断部２７ｃと、両面テープを台紙に固定する両面テープ固定部２７ｄとを有している。更に、両面テープ切断部２７ｃは、台紙が両面テープ切断部２７ｃを通過することを検出するセンサ２７ｅと、両面テープをカットするカッタ２７ｇと、カッタ２７ｇから台紙を保護する保護部材２７ｈと、両面テープを搬送する搬送ロール２７ｉとを有し、両面テープ固定部２７ｄは、台紙が両面テープ固定部２７ｄを通過することを検出するセンサ２７ｆを有している。
【００３５】
尚、図９では、作図の都合上、両面テープ貼付部２７は１つだけしか描いていないが、実際は、両面テープ貼付部２７は、台紙の進行方向に直交する方向に、複数個設けるものとする。具体的には、フィニッシャ２３を通過する台紙の横幅(進行方向に垂直な方向の幅)をＷｐ、両面テープの幅をＷｔとすると、「Ｗｐ／Ｗｔ(小数点以下は切捨て)」個の両面テープ貼付部２７が設けられる。そして、制御部２４は、これらの両面テープ貼付部２７の中から、指定された領域に実物を貼り付けるのに十分な両面テープ貼付部２７を選択し、駆動するものとする。例えば、指定された領域の左端のＸ座標がＸ１であり、右端のＸ座標がＸ２である場合、フィニッシャ２３を通過する台紙に対する両面テープの貼付位置が台紙上でＸ１よりも右側になり、かつ、Ｘ２よりも左側になる両面テープ貼付部２７の集合(以下、「指定領域内両面テープ貼付部」という)の中から、両面テープ貼付部２７を適宜選択することになる。ここでは、実物を貼り付けた際の剥がれ難さ、および、両面テープの有効利用を考慮して、指定領域内両面テープ貼付部のうち、一番左側にある両面テープ貼付部２７(以下、「両面テープ貼付部２７(Ｘ１)」という)と、一番右側にある両面テープ貼付部２７(以下、「両面テープ貼付部２７(Ｘ２)」という)とを選択するものとする。
【００３６】
次に、本実施の形態における制御部２４の動作について説明する。
図１１は、制御部２４の動作を示すフローチャートである。尚、以下の動作説明では、台紙の横方向にＸ軸を、縦方向にＹ軸を設定し、矩形の領域の左端のＸ座標であるＸ１と、右端のＸ座標であるＸ２と、上端のＹ座標であるＹ１と、下端のＹ座標であるＹ２とが受け渡されるものとする。また、図９のフィニッシャ２３において、台紙はその上端を先頭として、即ち、台紙のＹ軸のプラス方向が台紙の進行方向と重なるようにして搬送されるものとする。
更に、以下では、両面テープ貼付部２７(Ｘ１)、両面テープ貼付部２７(Ｘ２)に含まれる各機構には、それぞれ、「(Ｘ１)」、「(Ｘ２)」を付して示す。但し、センサは、複数の両面テープ貼付部２７について共通化できるので、「(Ｘ１)」、「(Ｘ２)」は付さない。
まず、制御部２４は、コントローラ１１から(Ｘ１，Ｘ２，Ｙ１，Ｙ２)を受け取り(ステップ２２１)、センサ２７ｅにＹ２を、センサ２７ｆにＹ１を伝えておく(ステップ２２２)。
【００３７】
この状態で、制御部２４は、各センサから送られる信号を監視し、センサ２７ｆが台紙のＹ１の通過を検出したかどうかを判定する(ステップ２２３)。この判定の結果、センサ２７ｆが台紙のＹ１の通過を検出していない場合は、ステップ２２３を繰り返すが、センサ２７ｆが台紙のＹ１の通過を検出した場合は、両面テープ固定部２７ｄ(Ｘ１)および両面テープ固定部２７ｄ(Ｘ２)を制御し、台紙のＹ１が両面テープ固定部２７ｄを通過する際に両面テープと台紙を重ね合わせて両面テープを台紙に固定させる(ステップ２２４)。
【００３８】
また、制御部２４は、センサ２７ｅが台紙のＹ２の通過を検出したかどうかを判定する(ステップ２２５)。この判定の結果、センサ２７ｅが台紙のＹ２の通過を検出していない場合は、ステップ２２５を繰り返すが、センサ２７ｅが台紙のＹ２の通過を検出した場合は、両面テープ切断部２７ｃ(Ｘ１)および両面テープ切断部２７ｃ(Ｘ２)を制御し、両面テープを切断させる(ステップ２２６)。尚、各両面テープ切断部２７ｃにおいては、両面テープと台紙との間に保護部材２７ｈを設け、カッタ２７ｇの刃が台紙まで達しないようにすることで、両面テープのみのカットを可能としている。
【００３９】
そして、最後に、次の台紙に対して両面テープを貼り付けることができるように、搬送ロール２７ｉ(Ｘ１)および搬送ロール２７ｉ(Ｘ２)を制御し、両面テープ切断部２７ｃ(Ｘ１)の位置にあった両面テープの先頭部分を両面テープ固定部２７ｄ(Ｘ１)の位置まで搬送させると共に、両面テープ切断部２７ｃ(Ｘ２)の位置にあった両面テープの先頭部分を両面テープ固定部２７ｄ(Ｘ２)の位置まで搬送させる(ステップ２２７)。
以上の処理により、図１２に示すような台紙が排出される。図１２では、網掛け領域が、両面テープを貼り付けられた領域を示している。
【００４０】
[第３の実施例]
第３の実施例では、台紙の全面に粘着性のあるフォトポリマー(光硬化樹脂)を塗布し、その後、台紙の指定した領域以外の領域に露光し、部分的に硬化させ、粘着性を失わせる。フォトポリマーとしては、公知の如何なるものを用いてもよい。尚、台紙の全面にフォトポリマーを塗布し、粘着性の不要な部分を硬化させることで、写真の保護膜としての効果も期待できる。
【００４１】
図１３は、第３の実施例の構成を示した図である。
図１３に示すように、粘着部形成装置２０は、画像形成装置１０に接続されるトランスポートユニット２１と、このトランスポートユニット２１にて取り込まれた画像形成後の媒体に対して所定の最終処理を施すフィニッシャ２３と、冊子の表紙などの合紙を供給するインターポーザ２２と、粘着部形成装置２０の各機構部を制御する制御部２４とを備えている。
また、フィニッシャ２３には、台紙に対しフォトポリマーを塗布するフォトポリマー塗布部２８と、フォトポリマーが塗布された台紙に露光する露光部２９とが設けられている。また、このうち、フォトポリマー塗布部２８は、台紙がフォトポリマー塗布部２８を通過することを検出するセンサ２８ａを有し、露光部２９は、台紙が露光部２９を通過することを検出するセンサ２９ａを有している。
【００４２】
次に、本実施の形態における制御部２４の動作について説明する。
図１４は、制御部２４の動作を示すフローチャートである。尚、以下の動作説明では、台紙の横方向にＸ軸を、縦方向にＹ軸を設定し、矩形の領域の左端のＸ座標であるＸ１と、右端のＸ座標であるＸ２と、上端のＹ座標であるＹ１と、下端のＹ座標であるＹ２とが受け渡されるものとする。また、図１３のフィニッシャ２３において、台紙はその上端を先頭として、即ち、台紙のＹ軸のプラス方向が台紙の進行方向と重なるようにして搬送されるものとする。
まず、制御部２４は、コントローラ１１から(Ｘ１，Ｘ２，Ｙ１，Ｙ２)を受け取り(ステップ２３１)、センサ２８ａとセンサ２９ａとに(Ｙ１，Ｙ２)を伝えておく(ステップ２３２)。
【００４３】
この状態で、制御部２４は、各センサから送られる信号を監視し、センサ２８ａが台紙の先端ＹＳの通過を検出したかどうかを判定する(ステップ２３３)。この判定の結果、センサ２８ａが台紙の先端ＹＳの通過を検出していない場合は、ステップ２３３を繰り返すが、センサ２８ａが台紙の先端ＹＳの通過を検出した場合は、フォトポリマー塗布部２８を制御し、台紙の先端ＹＳがフォトポリマー塗布部２８を通過する際に台紙の横方向の全範囲にフォトポリマーを塗布させる(ステップ２３４)。
その後、台紙は右方向に進んでいくので、制御部２４は、センサ２８ａが台紙の後端ＹＥの通過を検出したかどうかを判定する(ステップ２３５)。この判定の結果、センサ２８ａが台紙の後端ＹＥの通過を検出していない場合は、ステップ２３４に戻り、フォトポリマーの横方向の全範囲に対する塗布を続けるが、センサ２８ａが台紙の後端ＹＥの通過を検出した場合は、フォトポリマーの塗布は終了する。
【００４４】
次に、制御部２４は、センサ２９ａが台紙の先端ＹＳの通過を検出したかどうかを判定する(ステップ２３６)。この判定の結果、センサ２９ａが台紙の先端ＹＳの通過を検出していない場合は、ステップ２３６を繰り返すが、センサ２９ａが台紙の先端ＹＳの通過を検出した場合は、露光部２９を制御し、台紙の先端ＹＳが露光部２９を通過する際に台紙の横方向の全範囲に露光させる(ステップ２３７)。
また、制御部２４は、センサ２９ａが台紙のＹ１の通過を検出したかどうかを判定する(ステップ２３８)。この判定の結果、センサ２９ａが台紙のＹ１の通過を検出していない場合は、ステップ２３７に戻るが、センサ２９ａが台紙のＹ１の通過を検出した場合は、露光部２９を制御し、Ｘ１からＸ２以外の範囲に対する露光に切り替えさせる(ステップ２３９)。
【００４５】
更に、制御部２４は、センサ２９ａが台紙のＹ２の通過を検出したかどうかを判定する(ステップ２４０)。この判定の結果、センサ２９ａが台紙のＹ２の通過を検出していない場合は、ステップ２３９に戻るが、センサ２９ａが台紙のＹ２の通過を検出した場合は、露光部２９を制御し、台紙の横方向の全範囲に対する露光に切り替えさせる(ステップ２４１)。
更にまた、制御部２４は、センサ２９ａが台紙の後端ＹＥの通過を検出したかどうかを判定する(ステップ２４２)。この判定の結果、センサ２９ａが台紙の後端ＹＥの通過を検出していない場合は、ステップ２４１に戻るが、センサ２９ａが台紙の後端ＹＥの通過を検出した場合は、露光部２９を制御し、露光を終了させる。
【００４６】
以上の処理により、図１５に示すような台紙が排出される。図１５では、濃色の網掛け領域が、フォトポリマーを塗布したのみで露光されていない領域を示し、淡色の網掛け領域が、フォトポリマーを塗布後、露光された領域を示している。
【００４７】
以上により、本実施の形態の説明を終了する。
尚、本実施の形態では、画像形成装置１０に設けられたＵＩ部１２で粘着部を形成する領域を指定し、粘着部形成装置２０でその領域に粘着部を形成するようにしたが、粘着部形成装置２０にＵＩ部を設け、領域の指定から粘着部の形成までの全てを粘着部形成装置２０において行うようにしてもよい。その際は、制御部２４が、図４の処理に続けて、図７、図１１、または、図１４の処理を行うことになる。また、その場合、画像形成装置１０から受け取った台紙に粘着部形成装置２０で粘着部を形成するのではなく、事前に画像を形成しておいた台紙、あるいは、画像が形成されていない台紙をインターポーザ２２から搬入して、フィニッシャ２３で粘着部を形成するようにすることもできる。
【００４８】
このように、本実施の形態では、台紙の出力イメージ上で粘着部を形成する領域を指定でき、更には、粘着部を形成する領域の決定をし易くするためのユーザインターフェースを設けたので、台紙のどの部分に粘着部を形成すればよいかをユーザが容易に判断できるようにしつつ、台紙に粘着部を形成することが可能となっている。
【図面の簡単な説明】
【００４９】
【図１】本発明の実施の形態におけるシステムのハードウェア構成図である。
【図２】本発明の実施の形態における第１のユーザインターフェースを示した図である。
【図３】本発明の実施の形態における第２のユーザインターフェースを示した図である。
【図４】本発明の実施の形態における画像形成装置の動作を示したフローチャートである。
【図５】本発明の実施の形態における粘着部形成装置の第１の実施例の構成を示した図である。
【図６】本発明の実施の形態における粘着部形成装置の第１の実施例におけるカバーフィルム付加部の構成を示した図である。
【図７】本発明の実施の形態における粘着部形成装置の第１の実施例の動作を示したフローチャートである。
【図８】本発明の実施の形態における粘着部形成装置の第１の実施例による出力例を示した図である。
【図９】本発明の実施の形態における粘着部形成装置の第２の実施例の構成を示した図である。
【図１０】本発明の実施の形態における粘着部形成装置の第２の実施例における両面テープ貼付部の構成を示した図である。
【図１１】本発明の実施の形態における粘着部形成装置の第２の実施例の動作を示したフローチャートである。
【図１２】本発明の実施の形態における粘着部形成装置の第２の実施例による出力例を示した図である。
【図１３】本発明の実施の形態における粘着部形成装置の第３の実施例の構成を示した図である。
【図１４】本発明の実施の形態における粘着部形成装置の第３の実施例の動作を示したフローチャートである。
【図１５】本発明の実施の形態における粘着部形成装置の第３の実施例による出力例を示した図である。
【符号の説明】
【００５０】
１０…画像形成装置、１１…コントローラ、１２…ＵＩ部、１３…スキャナ部、１４…メディアリーダ、１５…プリンタ部、１６…記憶装置、２０…粘着部形成装置、２１…トランスポートユニット、２２…インターポーザ、２３…フィニッシャ、２４…制御部、２５粘着液塗布部、２６…カバーフィルム付加部、２７…両面テープ貼付部、２８…フォトポリマー塗布部、２９…露光部
【図１】
2005138361.tif 000003
【図２】
2005138361.tif 000004
【図３】
2005138361.tif 000005
【図４】
2005138361.tif 000006
【図５】
2005138361.tif 000007
【図６】
2005138361.tif 000008
【図７】
2005138361.tif 000009
【図８】
2005138361.tif 000010
【図９】
2005138361.tif 000011
【図１０】
2005138361.tif 000012
【図１１】
2005138361.tif 000013
【図１２】
2005138361.tif 000014
【図１３】
2005138361.tif 000015
【図１４】
2005138361.tif 000016
【図１５】
2005138361.tif 000017